(57)【要約】  搬送機構（６０）は、判定部（４０）の２つの搬送口（４１Ａ、４１Ｂ）のうち、少なくとも一方の搬送口については２箇所の開口（２１Ａ、２１Ｂ）に紙幣（１５）の搬送が可能とされている。搬送機構（６０）は、判定部（４０）を介して受付部（３０）と複数のカセット（２０）との間の紙幣（１５）の搬送が可能とされている。搬送機構（６０）は、判定部（４０）を介して複数のカセット（２０）の何れかのカセットから他のカセットへ紙幣（１５）の搬送が可能とされている。
2019180958.tif 000002
【特許請求の範囲】
【請求項１】
紙葉類を受け付ける受付部、および、２つの搬送口の間を搬送される紙葉類の種類を判定する判定部が設けられた第１ケースと、
前記第１ケースと２箇所の開口で紙葉類の通過が可能とされ、紙葉類を収容可能な複数のカセットが配置可能とされた第２ケースと、
前記第１ケースおよび前記第２ケース内に配置され、前記判定部の前記２つの搬送口のうち、少なくとも一方の搬送口については前記２箇所の開口に紙葉類の搬送が可能とされ、前記判定部を介して前記受付部と前記複数のカセットとの間の紙葉類の搬送が可能とされ、前記判定部を介して前記複数のカセットの何れかのカセットから他のカセットへ紙葉類の搬送が可能とされた搬送機構と、
を有する紙葉類取扱装置。
【請求項２】
前記第２ケースは、前記複数のカセットが並んで配置可能とされ、前記２箇所の開口のうちの一方の開口が前記複数のカセットの一方の端に設けられ、他方の開口が前記一方の端から１または２個のカセットに相当する幅を空けて設けられ、
前記搬送機構は、前記一方の開口と前記他方の開口との間に第１の搬送路と、前記他方の開口から前記複数のカセットの他方の端側に第２の搬送路を有する
ことを特徴とする請求項１に記載の紙葉類取扱装置。
【請求項３】
前記搬送機構は、前記複数のカセット内の紙葉類を精査する際、前記第１の搬送路および前記第２の搬送路の一方を使用して前記複数のカセットの何れかのカセットから紙葉類を前記判定部へ搬送し、他方を使用して前記判定部により種類が判定された紙葉類を他のカセットへ搬送する
ことを特徴とする請求項２に記載の紙葉類取扱装置。
【発明の詳細な説明】
【技術分野】
【０００１】
本発明は、紙葉類取扱装置に関する。
【背景技術】
【０００２】
従来から、銀行等に設置されたＡＴＭ（Automated  Teller  Machine）や、店舗のバックオフィス等に設置される入出金機など、紙幣を取り扱う紙幣取扱装置が知られている。このような紙幣取扱装置は、例えば、紙幣を搬送可能な搬送路をループ状に構成し、搬送路に沿って、紙幣を受付ける受付部や、紙幣の種類を判定する判定部、紙幣を収容する複数の収容部を設けている。
【先行技術文献】
【特許文献】
【０００３】
【特許文献１】国際公開第２０１６／２０３５５２号
【発明の概要】
【発明が解決しようとする課題】
【０００４】
ところで、紙幣取扱装置は、筐体全体を厚い金属板などで構成し、限られた人しか筐体を開けることができないように構成した場合、内部のセキュリティを確保できる。しかし、紙幣の搬送不良などの故障が内部で発生した場合、限られた人しか筐体を開けることができないため、メンテナンス性が低下する。【０００５】
そこで、紙幣取扱装置は、内部を複数ケースで分けて構成して、メンテナンス性の低下を抑制しつつセキュリティを確保する構造が増えている。例えば、紙幣取扱装置は、内部を上部ケースと下部ケースに分け、上部ケースに、紙幣を受付ける受付部や、紙幣の種類を判定する判定部などを配置し、下部ケースに紙幣を収容、保管するカセットを配置する。下部ケースは、厚い金属板で囲み、限られた人のみがアクセスする高位のセキュリティとする。これにより、紙幣取扱装置は、上部ケース内をメンテナンスする際も、下部ケース内のセキュリティを維持できる。【０００６】
しかしながら、内部を複数ケースで分けて構成した場合、ケース間で紙幣を搬送可能な搬送路が限られ、拡張性が低くなる。【０００７】
なお、上記の問題は、紙葉類を取り扱う紙葉類取扱装置全般に発生するものである。【０００８】
開示の技術は、上記に鑑みてなされたものであって、高い拡張性を確保できる紙葉類取扱装置を提供することを目的とする。
【課題を解決するための手段】
【０００９】
開示の態様では、紙葉類取扱装置は、第１ケースと、第２ケースと、搬送機構とを有する。第１ケースは、紙葉類を受け付ける受付部、および、２つの搬送口の間を搬送される紙葉類の種類を判定する判定部が設けられている。第２ケースは、第１ケースと２箇所の開口で紙葉類の通過が可能とされ、紙葉類を収容可能な複数のカセットが配置可能とされている。搬送機構は、第１ケースおよび第２ケース内に配置されている。また、搬送機構は、判定部の２つの搬送口のうち、少なくとも一方の搬送口については２箇所の開口に紙葉類の搬送が可能とされている。また、搬送機構は、判定部を介して受付部と複数のカセットとの間の紙葉類の搬送が可能とされている。また、搬送機構は、判定部を介して複数のカセットの何れかのカセットから他のカセットへ紙葉類の搬送が可能とされている。
【発明の効果】
【００１０】
開示の態様によれば、高い拡張性を確保できる。
【図面の簡単な説明】
【００１１】
【図１】図１は、実施例にかかる紙幣取扱装置の構成の一例を示す図である。
【図２Ａ】図２Ａは、入金の際の紙幣の流れの一例を示す図である。
【図２Ｂ】図２Ｂは、入金の際の紙幣の流れの一例を示す図である。
【図３】図３は、出金の際の紙幣の流れの一例を示す図である。
【図４Ａ】図４Ａは、精査の際の紙幣の流れの一例を示す図である。
【図４Ｂ】図４Ｂは、精査の際の紙幣の流れの一例を示す図である。
【図５】図５は、着脱可能なユニットの一例を示す図である。
【図６Ａ】図６Ａは、最小構成とした紙幣取扱装置の一例を示す図である。
【図６Ｂ】図６Ｂは、最小構成での入金の際の紙幣の流れの一例を示す図である。
【図６Ｃ】図６Ｃは、最小構成での入金の際の紙幣の流れの一例を示す図である。
【図６Ｄ】図６Ｄは、最小構成での精査の際の紙幣の流れの一例を示す図である。
【図７】図７は、リジェクト用カセットを設けた紙幣取扱装置の構成の一例を示す図である。
【図８】図８は、実施例にかかる紙幣取扱装置の搬送路の別な一例を示す図である。
【図９】図９は、実施例にかかる紙幣取扱装置の搬送路の別な一例を示す図である。
【図１０】図１０は、実施例にかかる紙幣取扱装置の構成の他の一例を示す図である。
【発明を実施するための形態】
【００１２】
以下に、本願の開示する紙葉類取扱装置の実施例を図面に基づいて説明する。なお、以下の実施例は、紙葉類の一例を紙幣とし、紙葉類取扱装置の一例を紙幣取扱装置とした場合を例に説明するが、開示技術はこれに限定されるものではない。
【実施例】
【００１３】
＜紙幣取扱装置の構成＞
図１は、実施例にかかる紙幣取扱装置の構成の一例を示す図である。紙幣取扱装置１０は、例えば、ＡＴＭや、入出金機など、紙幣を取り扱う装置である。【００１４】
紙幣取扱装置１０は、高い拡張性を確保するため、各種のユニットが着脱可能とされている。紙幣取扱装置１０は、例えば、紙幣の入金、紙幣の出金、紙幣の精査など、搭載する機能に応じて各種のユニットを組み合わせることで、様々な顧客の要望に対応できるように構成されている。例えば、紙幣取扱装置１０は、各種のユニットを組み合わせることで、ＡＴＭや入出金機として構成することが可能されている。図１では、紙幣の入金、紙幣の出金、紙幣の精査など、紙幣の取り扱いに関する基本的な機能に必要なユニットを組み合わせた一例を示している。【００１５】
紙幣取扱装置１０は、複数のケース１１により筐体１２が構成されている。例えば、実施例の紙幣取扱装置１０は、上側のケース１１Ａと下側のケース１１Ｂにより筐体１２が構成されている。【００１６】
ケース１１Ｂは、厚い金属板で囲まれて、金庫のような構成とされており、例えば、管理者などの限られた人のみが内部にアクセス可能な、相対的に高位のセキュリティエリアとされている。ケース１１Ｂ内には、複数のカセット２０が並んで配置される。本実施例では、５個のカセット２０Ａ−２０Ｅがケース１１Ｂ内に並んで配置される。【００１７】
ケース１１Ｂは、ケース１１Ａと対向する上面に２箇所の開口２１Ａ、２１Ｂが形成されており、開口２１Ａ、２１Ｂを介してケース１１Ａとケース１１Ｂ間の紙幣１５の通過が可能とされている。一般的に、ケース１１Ｂは、形成される開口の数が多いほど、セキュリティが低下する。実施例の紙幣取扱装置１０は、ケース１１Ｂのセキュリティの低下を抑えるため、開口の数を２箇所としている。開口２１Ａは、並んで配置された複数のカセット２０の一方の端に設けられている。本実施例では、開口２１Ａは、一方の端から１つ目のカセット２０Ａの上部に設けられている。開口２１Ｂは、一方の端から、１〜２個のカセット２０に相当する幅を空けて設けられている。本実施例では、開口２１Ｂは、一方の端から１つ目のカセット２０Ａと２つ目のカセット２０Ｂの間の上部に設けられている。【００１８】
ケース１１Ａは、ケース１１Ｂと比較して、低位のセキュリティエリアとされており、受付部３０と、判定部４０と、一時保留部５０とが設けられている。【００１９】
紙幣取扱装置１０は、このようにケース１１Ａ、１１Ｂにより筐体１２を構成することで、例えば、メンテナンス員がケース１１Ａ内をメンテナンスする際も、ケース１１Ｂ内のセキュリティを維持できる。【００２０】
受付部３０は、紙幣１５の入金および出金の少なくとも一方の受付けを行う。例えば、受付部３０は、各種の操作を受け付ける不図示の操作パネルが設けられている。また、受付部３０は、利用者が入出金する紙幣１５が収容される収容空間３１が設けられている。【００２１】
判定部４０は、紙幣１５の種類を判定する。例えば、判定部４０は、２つの搬送口４１Ａ、４１Ｂを有し、紙幣１５が搬送口４１Ａ、４１Ｂの間を通過可能に構成されている。判定部４０は、紙幣１５が搬送口４１Ａ、４１Ｂの間を通過する際に、紙幣１５の種類や真偽を判定する。例えば、判定部４０は、紙幣１５の種類として、紙幣１５の金種を判定する。なお、判定部４０は、紙幣１５の欠損や汚れの度合いを判定してもよい。【００２２】
一時保留部５０は、紙幣１５を一時的に保留する。例えば、一時保留部５０は、帯状のテープと巻取ドラムを有する巻取型の保留部とされている。一時保留部５０は、巻取ドラムでテープを巻く取る際に、テープ間に紙幣１５を挟むことで紙幣１５の一時的な収納と、巻取ドラムからテープを巻き戻すことで、収納された紙幣１５の取り出しが可能とされている。【００２３】
紙幣取扱装置１０は、上側のケース１１Ａと下側のケース１１Ｂに、紙幣１５を搬送する搬送機構６０が設けられている。搬送機構６０は、ケース１１Ａ、ケース１１Ｂ内で紙幣１５を移動させための搬送路６１を有し、搬送路６１に沿って紙幣１５を移動させるため、不図示のモータやローラ等が設けられている。搬送路６１は、紙幣１５を移動させる経路に応じて分岐している。また、搬送路６１は、経路が分岐する分岐点に、紙幣１５の搬送方向を切り替える、例えば、切替爪などの切替機構が配置されており、紙幣１５が搬送される経路の切り替えが可能とされている。例えば、受付部３０には、搬送路６１Ａが接続されている。搬送路６１Ａは、分岐点６２Ａで搬送路６１Ｂ、搬送路６１Ｃに分岐している。搬送路６１Ｂは、分岐点６２Ｂで搬送路６１Ｄ、搬送路６１Ｅに分岐している。搬送路６１Ｄは、判定部４０の搬送口４１Ａに接続されている。搬送路６１Ｅは、分岐点６２Ｃで搬送路６１Ｆ、搬送路６１Ｇに分岐している。搬送路６１Ｆは、一時保留部５０に接続されている。搬送路６１Ｇは、分岐点６２Ｄで搬送路６１Ｈ、搬送路６１Ｉに分岐している。搬送路６１Ｈは、判定部４０の搬送口４１Ｂに接続されている。搬送路６１Ｉは、分岐点６２Ｅで搬送路６１Ｊ、搬送路６１Ｋに分岐している。搬送路６１Ｋは、開口２１Ｂを通過している。搬送路６１Ｊは、分岐点６２Ｆで上述の搬送路６１Ｃ、搬送路６１Ｌに分岐している。搬送路６１Ｌは、開口２１Ａを通過して、カセット２０の上部に配置され、分岐点６２Ｇで上述の搬送路６１Ｋ、搬送路６１Ｍに分岐している。搬送路６１Ｌには、１番目のカセット２０Ａへの分岐が設けられている。搬送路６１Ｍは、カセット２０の上部に配置され、２番目から５番目のカセット２０Ｂ−２０Ｅへの分岐が設けられている。【００２４】
搬送機構６０は、搬送路６１Ｂ、６１Ｃ、６１Ｅ、６１Ｇ、６１Ｉ、６１Ｊによりループが形成されている。また、搬送機構６０は、搬送路６１Ｊ、６１Ｌ、６１Ｋによりループが形成されている。【００２５】
搬送機構６０は、判定部４０の２つの搬送口４１Ａ、４１Ｂのうち、少なくとも一方については２箇所の開口２１Ａ、２１Ｂに紙幣１５の搬送が可能とされている。本実施例の搬送機構６０は、搬送口４１Ａ、４１Ｂのそれぞれについて、２箇所の開口２１Ａ、２１Ｂに紙幣１５の搬送が可能とされている。例えば、搬送機構６０は、搬送路６１Ｈ、６１Ｉ、６１Ｋを通過させることで、搬送口４１Ｂから開口２１Ｂに紙幣１５の搬送が可能とされている。また、搬送機構６０は、搬送路６１Ｈ、６１Ｉ、６１Ｊ、６１Ｌを通過させることで、搬送口４１Ｂから開口２１Ａに紙幣１５の搬送が可能とされている。また、搬送機構６０は、搬送路６１Ｄ、６１Ｂ、６１Ｃ、６１Ｊ、６１Ｋを通過させることで、搬送口４１Ａから開口２１Ｂに紙幣１５の搬送が可能とされている。また、搬送機構６０は、搬送路６１Ｄ、６１Ｂ、６１Ｃ、６１Ｌを通過させることで、搬送口４１Ａから開口２１Ａに紙幣１５の搬送が可能とされている。【００２６】
搬送機構６０は、判定部４０を介して受付部３０と複数のカセット２０との間の紙幣１５の搬送が可能とされている。例えば、搬送機構６０は、搬送路６１Ａ、６１Ｂ、６１Ｄ、６１Ｈ、６１Ｉ、６１Ｋ、６１Ｍを通過させることで、判定部４０を介して受付部３０からカセット２０Ｂ−２０Ｅに紙幣１５の搬送が可能とされている。また、搬送機構６０は、搬送路６１Ａ、６１Ｂ、６１Ｄ、６１Ｈ、６１Ｉ、６１Ｊ、６１Ｌを通過させることで、判定部４０を介して受付部３０からカセット２０Ａに紙幣１５の搬送が可能とされている。【００２７】
また、搬送機構６０は、判定部４０を介して複数のカセット２０の何れかのカセットから他のカセット２０へ紙幣１５の搬送が可能とされている。例えば、搬送機構６０は、搬送路６１Ｌ、６１Ｃ、６１Ｂ、６１Ｄ、６１Ｈ、６１Ｉ、６１Ｋ、６１Ｍを通過させることで、判定部４０を介してカセット２０Ａと、カセット２０Ｂ−２０Ｅの間の紙幣１５の搬送が可能とされている。【００２８】
搬送機構６０が、このような搬送路６１Ａ−６１Ｍを有するのは、紙幣１５を取り扱う際に判定部４０を通過できるようにするためである。【００２９】
紙幣取扱装置１０は、装置全体を制御する制御部７０を有している。制御部７０は、例えばコンピュータであり、ＣＰＵ（Central  Processing  Unit）、ＲＡＭ（Random  Access  Memory）、ＲＯＭ（Read  Only  Memory）、補助記憶装置等を備える。制御部７０は、受付部３０、判定部４０、一時保留部５０および搬送機構６０のそれぞれと電気的に接続されている。制御部７０は、ＣＰＵは、ＲＯＭ又は補助記憶装置に格納されたプログラムや、各種のデータに基づいて、受付部３０、判定部４０、一時保留部５０および搬送機構６０を制御することで、紙幣の入金、紙幣の出金、紙幣の精査などの各種の動作を制御する。制御部７０は、入金、出金、精査など、紙幣１５の取り扱いを行う際、判定部４０に紙幣１５を通過させるよう搬送機構６０を制御する。【００３０】
［紙幣取扱装置の動作］
次に、このように構成された紙幣取扱装置１０の動作について説明する。最初に、紙幣１５の入金の動作について説明する。なお、以降の各図では、制御部７０に関する部分の構成の図示を省略する。図２Ａおよび図２Ｂは、入金の際の紙幣の流れの一例を示す図である。受付部３０は、収容空間３１に、利用者から紙幣１５を受け入れる。制御部７０は、入金の動作の場合、搬送機構６０を制御して、収容空間３１に収納された紙幣１５を１枚ずつ取り出す。そして、制御部７０は、搬送機構６０を制御し、図２Ａに示すように、取り出した紙幣１５を搬送路６１Ａ、６１Ｂ、６１Ｄを介して、判定部４０に搬送して判定部４０により紙幣１５の種類を判定する。そして、制御部７０は、搬送機構６０および一時保留部５０を制御して、判定部４０により種類が判定された紙幣１５を搬送路６１Ｈ、６１Ｇ、６１Ｆを介して一時保留部５０に搬送して、一時保留部５０に一時的に保留する。制御部７０は、判定部４０による判定結果に応じた情報を受付部３０の操作パネルに表示する。例えば、制御部７０は、紙幣１５の種類に基づき、金額を表示する。制御部７０は、操作パネルに対して、利用者から金額が誤っている旨の操作を受け付けた場合や、入金中止の操作を受け付けた場合、一時保留部５０に保留された紙幣１５を、入金の際と逆の経路を辿って受付部３０の収容空間３１に搬送する。【００３１】
一方、制御部７０は、操作パネルに対して、利用者から金額が正しい旨の操作を受け付けた場合、搬送機構６０および一時保留部５０を制御して、図２Ｂに示すように、一時保留部５０に一時的に保留された紙幣１５を取り出す。そして、制御部７０は、搬送機構６０を制御し、取り出した紙幣１５を搬送路６１Ｆ、６１Ｅ、６１Ｄを介して、判定部４０に搬送して判定部４０により紙幣１５の種類を再度判定する。そして、制御部７０は、搬送機構６０を制御して、判定部４０により種類が判定された紙幣１５の種類ごとにカセット２０に格納する。例えば、制御部７０は、１万円札、５千円札、千円札などの金種ごとに紙幣１５を別なカセット２０に格納する。なお、制御部７０は、同じ種類の紙幣１５を複数のカセット２０に分けて格納してもよい。【００３２】
制御部７０は、搬送機構６０を制御して、判定部４０により種類が判定された紙幣１５を搬送路６１Ｈ、６１Ｉ、６１Ｋ、６１Ｍを介して、カセット２０Ｂ−２０Ｅに搬送する。また、制御部７０は、搬送機構６０を制御して、判定部４０により種類が判定された紙幣１５を搬送路６１Ｈ、６１Ｉ、６１Ｊ、６１Ｌを介して、カセット２０Ａに搬送する。なお、制御部７０は、搬送機構６０を制御して、判定部４０により種類が判定された紙幣１５を搬送路６１Ｈ、６１Ｉ、６１Ｊ、６１Ｌ、６１Ｍを介して、カセット２０Ｂ−２０Ｅに搬送してもよい。【００３３】
次に、紙幣１５の出金の動作について説明する。図３は、出金の際の紙幣の流れの一例を示す図である。制御部７０は、操作パネルに対して、利用者から出金の操作を受け付けた場合、指定された金額となる紙幣１５の組み合わせを特定する。特定した紙幣１５がカセット２０Ｂ−２０Ｅに収容されている場合、制御部７０は、搬送機構６０を制御して、カセット２０Ｂ−２０Ｅから紙幣１５を１枚ずつ取り出す。そして、制御部７０は、搬送機構６０を制御し、取り出した紙幣１５を搬送路６１Ｍ、６１Ｋ、６１Ｉ、６１Ｈを介して、判定部４０に搬送して判定部４０により紙幣１５の種類を判定する。また、特定した紙幣１５がカセット２０Ａに収容されている場合、制御部７０は、搬送機構６０を制御して、カセット２０Ａから紙幣１５を１枚ずつ取り出す。そして、制御部７０は、搬送機構６０を制御し、取り出した紙幣１５を搬送路６１Ｌ、６１Ｊ、６１Ｉ、６１Ｈを介して、判定部４０に搬送して判定部４０により紙幣１５の種類を判定する。なお、制御部７０は、カセット２０Ｂ−２０Ｅに収容された紙幣１５について、搬送路６１Ｍ、６１Ｌ、６１Ｊ、６１Ｉ、６１Ｈを介して、判定部４０に搬送してもよい。【００３４】
そして、制御部７０は、搬送機構６０を制御して、判定部４０により種類が判定された紙幣１５を、搬送路６１Ｄ、６１Ｂ、６１Ａを介して、受付部３０の収容空間３１に搬送する。【００３５】
次に、紙幣１５の精査の動作について説明する。図４Ａおよび図４Ｂは、精査の際の紙幣の流れの一例を示す図である。紙幣取扱装置１０は、カセット２０間を紙幣１５を移動させつつ紙幣１５の精査を行う。紙幣取扱装置１０は、精査された紙幣１５を収容するため、何れか１つのカセット２０を空にする。例えば、紙幣取扱装置１０は、カセット２０Ａを空にする。カセット２０Ａは、予め空とされていてもよい。また、紙幣取扱装置１０は、カセット２０Ａに収容された紙幣１５をカセット２０Ｂ−２０Ｅに移動させることで、カセット２０を空としてもよい。【００３６】
カセット２０Ｂ−２０Ｅに収容された紙幣１５の精査を行う場合、制御部７０は、搬送機構６０を制御して、図４Ａに示すように、カセット２０Ｂ−２０Ｅから紙幣１５を１枚ずつ取り出す。そして、制御部７０は、搬送機構６０を制御し、取り出した紙幣１５を搬送路６１Ｍ、６１Ｋ、６１Ｉ、６１Ｈを介して、判定部４０に搬送して判定部４０により紙幣１５の種類を判定する。そして、制御部７０は、搬送機構６０を制御して、判定部４０により種類が判定された紙幣１５を搬送路６１Ｄ、６１Ｂ、６１Ｃ、６１Ｌを介して、カセット２０Ａに搬送する。【００３７】
一方、カセット２０Ａに収容された紙幣１５の精査を行う場合、制御部７０は、搬送機構６０を制御して、図４Ｂに示すように、カセット２０Ａから紙幣１５を１枚ずつ取り出す。そして、制御部７０は、搬送機構６０を制御し、取り出した紙幣１５を搬送路６１Ｌ、６１Ｃ、６１Ｂ、６１Ｄを介して、判定部４０に搬送して判定部４０により紙幣１５の種類を判定する。そして、制御部７０は、搬送機構６０を制御して、判定部４０により種類が判定された紙幣１５を搬送路６１Ｈ、６１Ｉ、６１Ｋ、６１Ｍを介して、カセット２０−２０Ｅに搬送する。【００３８】
このように、本実施例に係る紙幣取扱装置１０は、紙幣の入金、紙幣の出金、紙幣の精査など、紙幣の取り扱いに関する基本的な機能を備えることができる。【００３９】
また、上述のように、紙幣取扱装置１０は、拡張性を確保するため、各種のユニットが着脱可能とされている。図５は、着脱可能なユニットの一例を示す図である。図５では、着脱可能なユニットが破線で示されている。例えば、紙幣取扱装置１０は、一時保留部５０やカセット２０、搬送機構６０の一部が着脱可能とされている。このように、本実施例に係る紙幣取扱装置１０は、高い拡張性を確保している。【００４０】
図５では、最小構成で必要なユニットが実線で示されている。紙幣取扱装置１０は、最小構成として、受付部３０と、判定部４０と、２つのカセット２０（２０Ａ、２０Ｂ）と、搬送機構６０により構成できる。【００４１】
図６Ａは、最小構成とした紙幣取扱装置の一例を示す図である。紙幣取扱装置１０は、最小構成として、受付部３０と、判定部４０と、２つのカセット２０（２０Ａ、２０Ｂ）と、搬送機構６０により構成できる。最小構成の搬送機構６０では、搬送路６１Ｂが判定部４０の搬送口４１Ａに接続され、搬送路６１Ｉが判定部４０の搬送口４１Ｂに接続される。紙幣取扱装置１０は、最小構成でも紙幣の入金、紙幣の出金、紙幣の精査を実現できる。【００４２】
図６Ｂは、最小構成での入金の際の紙幣の流れの一例を示す図である。制御部７０は、搬送機構６０を制御して、収容空間３１に収納された紙幣１５を１枚ずつ取り出す。そして、制御部７０は、搬送機構６０を制御し、取り出した紙幣１５を搬送路６１Ａ、６１Ｂを介して、判定部４０に搬送して判定部４０により紙幣１５の種類を判定する。そして、制御部７０は、搬送機構６０を制御して、判定部４０により種類が判定された紙幣１５を搬送路６１Ｉ、６１Ｋ、６１Ｍを介して、カセット２０Ｂに搬送する。また、制御部７０は、搬送機構６０を制御して、判定部４０により種類が判定された紙幣１５を搬送路６１Ｉ、６１Ｊ、６１Ｌを介して、カセット２０Ａに搬送する。なお、制御部７０は、搬送機構６０を制御して、判定部４０により種類が判定された紙幣１５を搬送路６１Ｉ、６１Ｊ、６１Ｌ、６１Ｍを介して、カセット２０Ｂに搬送してもよい。【００４３】
図６Ｃは、最小構成での出金の際の紙幣の流れの一例を示す図である。制御部７０は、操作パネルに対して、利用者から出金の操作を受け付けた場合、指定された金額となる紙幣１５の組み合わせを特定する。特定した紙幣１５がカセット２０Ｂに収容されている場合、制御部７０は、搬送機構６０を制御して、カセット２０Ｂから紙幣１５を１枚ずつ取り出す。そして、制御部７０は、搬送機構６０を制御し、取り出した紙幣１５を搬送路６１Ｍ、６１Ｋ、６１Ｉを介して、判定部４０に搬送して判定部４０により紙幣１５の種類を判定する。また、特定した紙幣１５がカセット２０Ａに収容されている場合、制御部７０は、搬送機構６０を制御して、カセット２０Ａから紙幣１５を１枚ずつ取り出す。そして、制御部７０は、搬送機構６０を制御し、取り出した紙幣１５を搬送路６１Ｌ、６１Ｊ、６１Ｉを介して、判定部４０に搬送して判定部４０により紙幣１５の種類を判定する。なお、制御部７０は、カセット２０Ｂに収容された紙幣についても、搬送路６１Ｍ、６１Ｌ、６１Ｊ、６１Ｉを介して、判定部４０に搬送してもよい。【００４４】
そして、制御部７０は、搬送機構６０を制御して、判定部４０により種類が判定された紙幣１５を、搬送路６１Ｄ、６１Ｂ、６１Ａを介して、受付部３０の収容空間３１に搬送する。【００４５】
図６Ｄは、最小構成での精査の際の紙幣の流れの一例を示す図である。紙幣取扱装置１０は、カセット２０間を紙幣１５を移動させつつ紙幣１５の精査を行う。例えば、カセット２０Ｂに収容された紙幣１５の精査を行う場合、制御部７０は、搬送機構６０を制御して、カセット２０Ｂから紙幣１５を１枚ずつ取り出す。そして、制御部７０は、搬送機構６０を制御し、取り出した紙幣１５を搬送路６１Ｍ、６１Ｋ、６１Ｉを介して、判定部４０に搬送して判定部４０により紙幣１５の種類を判定する。そして、制御部７０は、搬送機構６０を制御して、判定部４０により種類が判定された紙幣１５を搬送路６１Ｂ、６１Ｃ、６１Ｌを介して、カセット２０Ａに搬送する。【００４６】
また、紙幣取扱装置１０は、欠損した紙幣１５や汚れた紙幣１５など、リサイクルに適さない紙幣１５を取り込むリジェクト用カセットを設けてもよい。図７は、リジェクト用カセットを設けた紙幣取扱装置の構成の一例を示す図である。図７は、３個のカセット２０Ａ−２０Ｃが並んで配置されており、２つ目のカセット２０Ｂがリジェクト用カセットとされている。なお、１つ目のカセット２０Ａをリジェクト用カセットとしてもよい。【００４７】
また、図７の例では、開口２１Ｂは、一方の端から２つ目のカセット２０Ｂと３つ目のカセット２０Ｃの間の上部に設けられている。紙幣取扱装置１０は、開口２１Ａと開口２１Ｂの間にリジェクト用カセットを配置することで、出金の際に、判定部４０でリサイクルに適さないと判定された紙幣１５をリジェクト用カセットに格納できる。【００４８】
なお、紙幣取扱装置１０は、リジェクト用カセットとして破線に示すカセット２０を追加してもよい。紙幣取扱装置１０は、破線に示すカセット２０を配置することで、入金の際に判定部４０でリサイクルに適さないと判定された紙幣１５をリジェクト用カセットに格納できる。【００４９】
以上のように、本実施例の紙幣取扱装置１０は、ケース１１Ａと、ケース１１Ｂと、搬送機構６０とを有する。ケース１１Ａは、受付部３０および判定部４０が設けられている。受付部３０は紙幣１５を受け付ける。判定部４０は、２つの搬送口４１Ａ、４１Ｂの間を搬送される紙幣１５の種類を判定する。ケース１１Ｂは、ケース１１Ａと２箇所の開口２１Ａ、２１Ｂで紙幣１５の通過が可能とされ、紙幣１５を収容可能な複数のカセット２０が配置可能とされている。搬送機構６０は、ケース１１Ａおよびケース１１Ｂ内に配置されている。搬送機構６０は、判定部４０の２つの搬送口４１Ａ、４１Ｂのうち、少なくとも一方の搬送口については２箇所の開口２１Ａ、２１Ｂに紙幣１５の搬送が可能とされている。搬送機構６０は、判定部４０を介して受付部３０と複数のカセット２０との間の紙幣１５の搬送が可能とされている。搬送機構６０は、判定部４０を介して複数のカセット２０の何れかのカセットから他のカセットへ紙幣１５の搬送が可能とされている。これにより、紙幣取扱装置１０は、高い拡張性を確保できる。【００５０】
また、本実施例の紙幣取扱装置１０では、ケース１１Ｂは、複数のカセット２０が並んで配置可能とされている。ケース１１Ｂは、２箇所の開口２１Ａ、２１Ｂのうちの一方の開口２１Ａが複数のカセット２０の一方の端に設けられ、他方の開口２１Ｂが一方の端から１または２個のカセットに相当する幅を空けて設けられている。搬送機構６０は、開口２１Ａと開口２１Ｂとの間に搬送路６１Ｌと、開口２１Ｂから複数のカセット２０の他方の端側に搬送路６１Ｍを有する。これにより、紙幣取扱装置１０は、カセット２０を増設する際、搬送路６１Ｍに沿ってカセット２０を配置できるため、少ない搬送路の変更でカセット２０を増設できる。【００５１】
また、本実施例の紙幣取扱装置１０では、搬送機構６０は、複数のカセット２０内の紙幣１５を精査する際、搬送路６１Ｌおよび搬送路６１Ｍの一方を使用して何れかのカセット２０から紙幣１５を判定部４０へ搬送する。また、搬送機構６０は、搬送路６１Ｌおよび搬送路６１Ｍの他方を使用して判定部４０により種類が判定された紙幣１５を他のカセット２０へ搬送する。これにより、紙幣取扱装置１０は、複数のカセット２０内の紙幣１５を精査できる。【００５２】
さて、これまで本発明の実施例について説明したが、本発明は上述した実施例以外にも、種々の異なる形態にて実施されてよいものである。【００５３】
例えば、図１などで示した搬送機構６０の搬送路６１Ａ−６１Ｍは、一例であり、これに限定されるものではない。図８は、実施例にかかる紙幣取扱装置の搬送路の別な一例を示す図である。図８に示した搬送機構６０では、搬送路６１Ｉが判定部４０の搬送口４１Ｂに接続される。また、図８に示した搬送機構６０では、搬送路６１Ｇを、搬送路６１Ｋまたは搬送路６１Ｌから分岐させてもよい。図９は、実施例にかかる紙幣取扱装置の搬送路の別な一例を示す図である。図９に示す紙幣取扱装置１０では、ケース１１Ｂに、開口２１Ａ、２１Ｂに加え、開口２１Ｃが形成されており、開口２１Ａ、２１Ｂ、２１Ｃを介してケース１１Ａとケース１１Ｂ間の紙幣１５の通過が可能とされている。図９に示した搬送機構６０では、搬送路６１Ｉが判定部４０の搬送口４１Ｂに接続される。また、図９に示した搬送機構６０では、搬送路６１Ｇを、開口２１Ｃを介して、搬送路６１Ｍから分岐させてもよい。【００５４】
また、紙幣取扱装置１０は、受付部３０について、入金と出金とで分離したタイプとしてもよい。図１０は、実施例にかかる紙幣取扱装置の構成の他の一例を示す図である。図１０に示す紙幣取扱装置１０は、入金用の受付部３０Ａと、出金用の受付部３０Ｂが設けられている。出金用の受付部３０Ｂには、搬送路６１Ａが接続されている。入金用の受付部３０Ａには、搬送路６１Ｂから分岐した搬送路６１Ｎが接続されている。このように、紙幣取扱装置１０は、受付部３０について、入金と出金とで分離したタイプとしてもよい。【００５５】
また、上記の実施例では、紙葉類を紙幣１５とした場合を説明したが、これに限定されるものではない。例えば、紙葉類は、手形、小切手、商品券、各種証券、株券等の有価証券であってもよい。
【符号の説明】
【００５６】
１０  紙幣取扱装置（紙葉類取扱装置）
１１、１１Ａ、１１Ｂ  ケース
１２  筐体
１５  紙幣（紙葉類）
２０、２０Ａ−２０Ｄ  カセット
２１Ａ、２１Ｂ、２１Ｃ  開口
３０、３０Ａ、３０Ｂ  受付部
４０  判定部
４１Ａ、４１Ｂ  搬送口
５０  一時保留部
６０  搬送機構
６１、６１Ａ−６１Ｍ  搬送路
７０  制御部
【図１】
2019180958.tif 000003
【図２Ａ】
2019180958.tif 000004
【図２Ｂ】
2019180958.tif 000005
【図３】
2019180958.tif 000006
【図４Ａ】
2019180958.tif 000007
【図４Ｂ】
2019180958.tif 000008
【図５】
2019180958.tif 000009
【図６Ａ】
2019180958.tif 000010
【図６Ｂ】
2019180958.tif 000011
【図６Ｃ】
2019180958.tif 000012
【図６Ｄ】
2019180958.tif 000013
【図７】
2019180958.tif 000014
【図８】
2019180958.tif 000015
【図９】
2019180958.tif 000016
【図１０】
2019180958.tif 000017
【国際調査報告】
2019180958.tif 000018
2019180958.tif 000019